(57)【要約】  ダウンドロー法で連続成形されて下方へと搬送されるガラスリボンＧの表面Ｇａに、幅方向に沿ってスクライブ線Ｓを形成するスクライブ機構２を備えたガラス板の製造装置１について、スクライブ機構２に搬入されるガラスリボンＧを幅方向に沿って表面Ｇａ側が凸となるように湾曲させる変形付与機構４を設けた。これにより、ガラスリボンＧをスクライブ線Ｓの形成に適した形状に維持した状態でスクライブ機構２に搬入することが可能となる。
2016104400.tif 000002
【特許請求の範囲】
【請求項１】
ダウンドロー法によって連続成形されて下方へと搬送されるガラスリボンの一方面側に、幅方向に沿ってスクライブ線を形成するスクライブ機構を備えたガラス板の製造装置であって、
前記スクライブ機構に搬入される前記ガラスリボンを幅方向に沿って前記一方面側が凸となるように湾曲させる変形付与機構を備え、
前記変形付与機構が、前記ガラスリボンの前記一方面側において幅方向に沿って相互に離間した二箇所と、他方面側において前記二箇所の相互間に位置する箇所との各々に、前記ガラスリボンに当接する当接部材を有し、
前記一方面側の二つの当接部材と前記他方面側の当接部材とで、前記ガラスリボンを厚み方向に挟み込むように構成されていることを特徴とするガラス板の製造装置。
【請求項２】
前記ガラスリボンの搬送経路に沿って複数の前記変形付与機構を備えることを特徴とする請求項１に記載のガラス板の製造装置。
【請求項３】
前記一方面側の二つの当接部材と前記他方面側の当接部材とを、前記ガラスリボンの幅方向両端に存する非有効部に当接させることを特徴とする請求項１又は２に記載のガラス板の製造装置。
【請求項４】
前記一方面側の二つの当接部材と前記他方面側の当接部材とが、前記ガラスリボンの幅方向中央を基準として対称に配置されていることを特徴とする請求項１〜３のいずれかに記載のガラス板の製造装置。
【請求項５】
前記一方面側の二つの当接部材と前記他方面側の当接部材とが、ローラーであることを特徴とする請求項１〜４のいずれかに記載のガラス板の製造装置。
【請求項６】
前記スクライブ機構が、前記ガラスリボンに追従降下するように構成されると共に、前記ガラスリボンの前記一方面上を幅方向に沿って移動することで前記スクライブ線を形成する形成部材と、前記ガラスリボンの前記他方面側から該ガラスリボンを介して移動中の前記形成部材を支持し、且つ該形成部材と同期した状態で前記他方面上を幅方向に沿って移動する形成補助部材とを有し、
前記形成部材及び前記形成補助部材が、前記ガラスリボンの幅方向に沿った湾曲に倣って移動するように構成されていることを特徴とする請求項１〜５のいずれかに記載のガラス板の製造装置。
【請求項７】
前記形成部材が、前記ガラスリボンの前記一方面上を幅方向に沿って走行するカッターホイールであると共に、前記形成補助部材が、前記他方面上を幅方向に沿って走行するホイール支持ローラーであることを特徴とする請求項６に記載のガラス板の製造装置。
【請求項８】
前記ガラスリボンを厚み方向に挟持しつつ前記カッターホイール及び前記ホイール支持ローラーと共に前記ガラスリボンの幅方向に沿った湾曲に倣って走行する一対の挟持ローラーが、前記カッターホイール及び前記ホイール支持ローラーの進行方向の前後にそれぞれ配置されていることを特徴とする請求項７に記載のガラス板の製造装置。
【請求項９】
前記カッターホイールの後方で前記ガラスリボンの前記一方面上を走行する前記挟持ローラーが、
相対的に径の小さい小径部と、前記一方面上を転動し且つ前記小径部の両側にそれぞれ連なる相対的に径の大きい大径部とを有すると共に、前記カッターホイールが形成した前記スクライブ線を前記小径部が跨いだ状態で走行するように構成されていることを特徴とする請求項８に記載のガラス板の製造装置。
【請求項１０】
請求項８に記載のガラス板の製造装置において、前記カッターホイールの後方で前記ガラスリボンの前記一方面上を走行する前記挟持ローラーに代えて、
前記一方面との間に隙間を維持した状態で、前記ガラスリボンの幅方向に沿った湾曲に倣って移動するガイドローラーを配置したことを特徴とするガラス板の製造装置。
【請求項１１】
前記ホイール支持ローラーの径が前記カッターホイールの径よりも大きいことを特徴とする請求項７〜１０のいずれかに記載のガラス板の製造装置。
【請求項１２】
前記ガラスリボンに追従降下しつつ前記スクライブ線が形成されたスクライブ線形成部を、前記ガラスリボンの長手方向に沿って前記一方面側が凸となるように湾曲させて曲げ応力を付与することで、前記ガラスリボンを折割切断して該ガラスリボンから前記スクライブ線の下方に存する切出し部を切り出す折割機構を備え、
前記折割機構が、前記切出し部を、該切出し部における前記ガラスリボンの長手方向に沿った湾曲形状を維持しつつ支持した状態で、前記スクライブ線形成部に曲げ応力を付与する曲げ応力付与部材を有することを特徴とする請求項１〜１１のいずれかに記載のガラス板の製造装置。
【請求項１３】
前記曲げ応力付与部材が、前記切出し部を支持する複数の支持部材と、該複数の支持部材を前記切出し部の厚み方向に沿ってそれぞれスライド可能に保持する保持部材とを有することを特徴とする請求項１２に記載のガラス板の製造装置。
【請求項１４】
前記複数の支持部材が、前記切出し部の幅方向両端に存する非有効部に沿って相互に離間して並べられ、且つ該非有効部を把持する複数のチャックであることを特徴とする請求項１３に記載のガラス板の製造装置。
【請求項１５】
前記折割機構が、折割切断時に前記切出し部の下端部を幅方向に沿って支持する下端受け部材を有することを特徴とする請求項１４に記載のガラス板の製造装置。
【請求項１６】
前記下端受け部材が、前記切出し部の下端部における前記一方面側を幅方向に沿って下方から支持することを特徴とする請求項１５に記載のガラス板の製造装置。
【請求項１７】
前記下端受け部材が、前記切出し部の下端部を幅方向に沿って支持するための支持位置と、前記ガラスリボンの搬送経路から外れた退避位置との間を移動可能に構成されていることを特徴とする請求項１５又は１６に記載のガラス板の製造装置。
【請求項１８】
前記退避位置として第一の退避位置と第二の退避位置とを有し、前記第一の退避位置が、前記支持位置から幅方向の外方に離間した位置であると共に、前記第二の退避位置が、前記支持位置から前記切出し部の厚み方向に沿って離間した位置であることを特徴とする請求項１７に記載のガラス板の製造装置。
【請求項１９】
ダウンドロー法によって連続成形されて下方へと搬送されるガラスリボンに対し、追従降下しつつ幅方向に沿ってスクライブ線を形成するスクライブ機構を備えたガラス板の製造装置であって、
前記スクライブ機構が、前記ガラスリボンの一方面上を幅方向に沿って移動することで前記スクライブ線を形成する形成部材と、前記ガラスリボンの他方面側から該ガラスリボンを介して移動中の前記形成部材を支持し、且つ該形成部材と同期した状態で他方面上を幅方向に沿って移動する形成補助部材とを有し、
前記形成部材及び前記形成補助部材が、前記ガラスリボンの幅方向に沿った湾曲に倣って移動するように構成されていることを特徴とするガラス板の製造装置。
【請求項２０】
ダウンドロー法によって連続成形されて下方へと搬送されると共に、幅方向に沿ってスクライブ線が形成されたガラスリボンに対し、追従降下しつつ前記スクライブ線が形成されたスクライブ線形成部に曲げ応力を付与することにより、前記ガラスリボンを折割切断して該ガラスリボンから前記スクライブ線の下方に存する切出し部を切り出す折割機構を備えたガラス板の製造装置であって、
前記折割機構が、前記切出し部を、該切出し部における前記ガラスリボンの長手方向に沿った湾曲形状を維持しつつ支持した状態で、前記スクライブ線形成部に曲げ応力を付与する曲げ応力付与部材を有することを特徴とするガラス板の製造装置。
【請求項２１】
ダウンドロー法によって連続成形されて下方へと搬送されると共に、幅方向に沿ってスクライブ線が形成されたガラスリボンに対し、追従降下しつつ前記スクライブ線が形成されたスクライブ線形成部に曲げ応力を付与することにより、前記ガラスリボンを折割切断して前記ガラスリボンから前記スクライブ線の下方に存する切出し部を切り出す折割機構を備え、
該折割機構が、前記切出し部を、その幅方向両端に沿って支持する支持体を有するガラス板の製造装置であって、
前記折割機構が、折割切断時に前記切出し部の下端部を幅方向に沿って支持する下端受け部材を備えることを特徴とするガラス板の製造装置。
【発明の詳細な説明】
【技術分野】
【０００１】
本発明は、ダウンドロー法によって連続成形されたガラスリボンにスクライブ線を形成すると共に、スクライブ線が形成された部位に曲げ応力を付与することでガラスリボンを折割切断するガラス板の製造装置に関する。
【背景技術】
【０００２】
周知のように、ガラス板は、液晶ディスプレイ、プラズマディスプレイ、有機ＥＬディスプレイ、フィールドエミッションディスプレイ等のフラットパネルディスプレイ用のガラス基板として使用されたり、スマートホン、タブレット型ＰＣ等のカバーガラスとして使用される等、多種多様な電子デバイスに組み込まれている。【０００３】
このガラス板の製造方法の一つとしては、オーバーフローダウンドロー法、スロットダウンドロー法、リドロー法等に代表されるダウンドロー法によって連続成形されたガラスリボンを所定長さ毎に切断することにより、ガラス板を切り出す方法を挙げることができる。そして、このような製造方法に使用される装置の一例が特許文献１に開示されている。【０００４】
同文献に開示されたガラス板の製造装置（以下、製造装置１と表記）は、成形後に下方へと搬送されるガラスリボンに追従降下しつつ、当該ガラスリボンの幅方向に沿ってスクライブ線（同文献では、スコアライン）を形成するスクライブ機構（同文献では、スコアリング装置）を備えている。また、スクライブ機構と共にガラスリボンに追従降下しつつ、スクライブ線が形成された部位をガラスリボンの長手方向に沿って湾曲させ、曲げ応力を付与することでガラスリボンを折割切断する折割機構（同文献では、ガラス板係合装置）を備えている。【０００５】
スクライブ機構は、ガラスリボンの一方面上を幅方向に沿って移動することでスクライブ線を形成する形成部材（同文献では、スクライブ）と、他方面側からガラスリボンを介して移動中の形成部材を支持する形成補助部材（同文献では、アンビル）とを有している。また、折割機構は、スクライブ線の下方に存するガラスリボンの切出し部（切り出しの対象となる部位）を、その幅方向両端に沿って支持する支持体（同文献では、ガラス板係合部材）を有しており、当該支持体は、切出し部を平坦な形状に保持する。そして、折割機構は、切出し部の姿勢を縦置き姿勢から鉛直方向に対して傾斜した傾斜姿勢へと変化させ、スクライブ線が形成された部位を湾曲させて曲げ応力を付与する。【０００６】
ところで、近年においては、ガラス板が組み込まれる電子デバイスの薄型化、軽量化が急速に推進されている。これに伴って、電子デバイスに組み込まれるガラス板においても薄板化を図ることが要請されている（例えば、厚みが５００μｍ以下）。【０００７】
このような薄板ガラスを製造するためには、当該薄板ガラスの元となるガラスリボンについても、厚みを薄くすることが要求される。しかしながら、厚みが薄いガラスリボンは、成形後、幅方向に沿って湾曲した状態で下方へと搬送されている場合が多い。そして、このようなガラスリボンを折割切断するためには、当該ガラスリボンの表裏面のうち、凸となる面側にスクライブ線を形成することが必要となる。これは、凹となる面側には圧縮応力が作用していることから、スクライブ線の形成が困難であるためである。そこで、ガラスリボンの凸となる面側にスクライブ線を形成するためのスクライブ機構を備えた装置が、特許文献２に開示されている。【０００８】
同文献に開示されたガラス板の製造装置（以下、製造装置２と表記）は、ガラスリボンの凸となる面側を幅方向に沿った湾曲に倣って走行することでスクライブ線（同文献では、刻線）を形成する形成部材としてのカッターホイール（同文献では、刻設刃）を有している。また、ガラスリボンの幅方向に沿った湾曲に倣うように形成された凸湾曲面（同文献では、当接面）により、ガラスリボンの凹となる面側から当該ガラスリボンを介して走行中のカッターホイールを支持する形成補助部材（同文献では、定盤）を有している。
【先行技術文献】
【特許文献】
【０００９】
【特許文献１】特開２００２−１３７９３０号公報
【特許文献２】特開２００８−１９１０２号公報
【発明の概要】
【発明が解決しようとする課題】
【００１０】
しかしながら、上記の製造装置１や製造装置２を使用して薄板ガラスを製造する場合には、下記のような解決すべき種々の問題が存在していた。【００１１】
第一の問題としては、薄板ガラスの元となるガラスリボンは、当該ガラスリボンに作用する外力等によって容易に変形してしまう。このため、成形後のガラスリボンが下方へと搬送される際に、搬送経路の周辺に発生した気流等の影響により、ガラスリボンの表裏面間において、凸となる側が入れ替わってしまう場合がある。これにより、スクライブ線が形成される側の面が凹となった状態で、ガラスリボンがスクライブ機構に搬入されてくる場合があり、スクライブ線の形成が困難となる難点があった。【００１２】
このような事情に鑑みなされた本発明は、成形後に下方へと搬送されるガラスリボンについて、スクライブ線の形成に適した形状に維持した状態でスクライブ機構への搬入を可能とすることを第一の技術的課題とする。【００１３】
第二の問題としては、ガラスリボンへのスクライブ線の形成に製造装置２を使用した場合でも、形成補助部材が有する凸湾曲面とガラスリボンとの間で、その湾曲を完全に一致させることは不可能である。従って、ガラスリボンには必然的に凸湾曲面から浮き上がった部位が存在することになる。この浮き上がった部位にカッターホイールが進入してくると、カッターホイールの前方に皺が形成されていく。そして、この皺の形成に起因して発生した応力でクラックが進展し、ガラスリボンが割れてしまう不具合があった。【００１４】
このような事情に鑑みなされた本発明は、成形後に下方へと搬送されるガラスリボンにスクライブ線を形成する際に、ガラスリボンにおける割れの発生を防止することを第二の技術的課題とする。【００１５】
第三の問題としては、ガラスリボンには、その幅方向に沿った湾曲のみでなく、その長手方向に沿って反りが発生している場合が多い。このため、ガラスリボンの折割切断に製造装置１を使用した場合には、支持体が本来的に切出し部を平坦な形状に保持する構成となっていることから、当該支持体は切出し部に発生した長手方向に沿った反りを平坦に矯正した状態で切出し部を支持することになる。そのため、切出し部においては、反りを矯正したことに伴って不要な応力が作用した状態となり、この不要な応力に起因して折割切断を実行するための曲げ応力が作用しにくく、ガラスリボンの切断不良を誘発してしまう欠点があった。【００１６】
このような事情に鑑みなされた本発明は、成形後に下方へと搬送されるガラスリボンについて、折割切断の確実な実行を可能とすることを第三の技術的課題とする。【００１７】
第四の問題としては、ガラスリボンの切出し部が傾斜姿勢をとった際には、当該切出し部の下端側には重力によって垂れが発生しやすい。この垂れは、切出し部の厚みが薄くなるほど、また、幅寸法が大きくなるほど顕著に発生する。そのため、ガラスリボンの折割切断に製造装置１を使用した場合には、支持体が切出し部を幅方向両端に沿って支持していることから、切出し部が傾斜姿勢をとった際に、その幅方向中央部が重力によって垂れ下がってしまう。その結果、この垂れに起因して発生した応力によって切出し部が破損してしまう事態を招いていた。【００１８】
このような事情に鑑みなされた本発明は、成形後に下方へと搬送されるガラスリボンを折割切断する際に、切出し部の破損を回避することを第四の技術的課題とする。
【課題を解決するための手段】
【００１９】
上記の第一の技術的課題を解決するために創案された本発明に係るガラス板の製造装置は、ダウンドロー法によって連続成形されて下方へと搬送されるガラスリボンの一方面側に、幅方向に沿ってスクライブ線を形成するスクライブ機構を備えた装置であって、スクライブ機構に搬入されるガラスリボンを幅方向に沿って一方面側が凸となるように湾曲させる変形付与機構を備え、この変形付与機構が、ガラスリボンの一方面側において幅方向に沿って相互に離間した二箇所と、他方面側において前述の二箇所の相互間に位置する箇所との各々に、ガラスリボンに当接する当接部材を有し、一方面側の二つの当接部材と他方面側の当接部材とで、ガラスリボンを厚み方向に挟み込むように構成されていることに特徴付けられる。【００２０】
このような構成によれば、変形付与機構が一方面側の二つの当接部材と他方面側の当接部材とを有し、これらの当接部材がガラスリボンを厚み方向に挟み込むことにより、スクライブ機構に搬入されるガラスリボンを、幅方向に沿って一方面側が凸となるように湾曲させることができる。すなわち、ガラスリボンをスクライブ線の形成に適した形状に維持した状態でスクライブ機構に搬入することが可能となる。【００２１】
上記の構成において、ガラスリボンの搬送経路に沿って複数の変形付与機構を備えることが好ましい。【００２２】
このようにすれば、複数の変形付与機構を備えることから、ガラスリボンの幅方向に沿った湾曲を安定的に維持することができる。【００２３】
上記の構成において、一方面側の二つの当接部材と他方面側の当接部材とを、ガラスリボンの幅方向両端に存する非有効部に当接させることが好ましい。【００２４】
このようにすれば、ガラスリボンの幅方向中央部に存する有効部が、当接部材との当接によって汚染されたり、傷付いたりすることを回避することが可能となる。【００２５】
上記の構成において、一方面側の二つの当接部材と他方面側の当接部材とが、ガラスリボンの幅方向中央を基準として対称に配置されていることが好ましい。【００２６】
このようにすれば、スクライブ機構に搬入されるガラスリボンについて、幅方向中央を境界とした一方側の部位と、他方側の部位とを対称に湾曲させることができる。すなわち、スクライブ機構に搬入されるガラスリボンを一層スクライブ線の形成に適した形状とすることが可能である。【００２７】
上記の構成において、一方面側の二つの当接部材と他方面側の当接部材とが、ローラーであることが好ましい。【００２８】
このようにすれば、当接部材がローラーであることから、ガラスリボンの幅方向に沿った湾曲を維持しつつ円滑にスクライブ機構に搬入することができる。【００２９】
上記の構成において、スクライブ機構が、ガラスリボンに追従降下するように構成されると共に、ガラスリボンの一方面上を幅方向に沿って移動することでスクライブ線を形成する形成部材と、ガラスリボンの他方面側からガラスリボンを介して移動中の形成部材を支持し、且つ形成部材と同期した状態で他方面上を幅方向に沿って移動する形成補助部材とを有し、形成部材及び形成補助部材が、ガラスリボンの幅方向に沿った湾曲に倣って移動するように構成されていることが好ましい。【００３０】
このようにすれば、スクライブ線の形成が開始されてから完了するまでの間、ガラスリボンにおいて、スクライブ線の形成が進行中の部位のみが、ガラスリボンの幅方向に沿った湾曲に倣って移動する形成部材と形成補助部材とによって厚み方向に挟まれた状態となる。従って、移動中の形成部材の前方に存するスクライブ線が未形成の部位（これからスクライブ線が形成される部位）では、形成補助部材自体が存在しないことから、当該部位が形成補助部材から浮き上がるということが必然的に起こり得ない。これにより、形成部材の前方でガラスリボンに皺が形成されることを確実に回避することが可能である。その結果、皺の形成に起因して発生した応力でクラックが進展し、ガラスリボンが割れてしまうような事態の発生を防止することができる。【００３１】
上記の構成において、形成部材が、ガラスリボンの一方面上を幅方向に沿って走行するカッターホイールであると共に、形成補助部材が、他方面上を幅方向に沿って走行するホイール支持ローラーであることが好ましい。【００３２】
このようにすれば、形成部材がカッターホイールであるため、スクライブ線の形成を高速で行うことが可能となる。また、形成補助部材がホイール支持ローラーであることから、当該ローラーによって走行中のカッターホイールを安定して支持（ガラスリボンを介して支持）することができる。【００３３】
上記の構成において、ガラスリボンを厚み方向に挟持しつつカッターホイール及びホイール支持ローラーと共にガラスリボンの幅方向に沿った湾曲に倣って走行する一対の挟持ローラーが、カッターホイール及びホイール支持ローラーの進行方向の前後にそれぞれ配置されていることが好ましい。【００３４】
このようにすれば、ガラスリボンにおいて、カッターホイール及びホイール支持ローラーの前方に配置される挟持ローラーに挟まれた箇所から、後方に配置される挟持ローラーに挟まれた箇所までの部位が変形しにくくなる。そして、この変形しにくい部位上をカッターホイールが走行することから、ガラスリボンに対してより正確にスクライブ線を形成することができる。また、変形のしにくさにより、ガラスリボンの搬送経路の周辺に気流が発生したような場合であっても、カッターホイールが走行中の部位には揺れが生じにくい。そのため、カッターホイールから当該部位に局所的に大きな圧力が負荷されるような事態の発生を回避することが可能となる。これにより、ガラスリボンにおける割れの発生をより好適に防止することができる。【００３５】
上記の構成において、カッターホイールの後方でガラスリボンの一方面上を走行する挟持ローラーが、相対的に径の小さい小径部と、一方面上を転動し且つ小径部の両側にそれぞれ連なる相対的に径の大きい大径部とを有すると共に、カッターホイールが形成したスクライブ線を小径部が跨いだ状態で走行するように構成されていることが好ましい。【００３６】
このようにすれば、カッターホイールの後方でガラスリボンの一方面上を走行する挟持ローラー（以下、特定挟持ローラーと表記）について、小径部の両側に連なった大径部がガラスリボンの一方面上を転動すると共に、両大径部の間に存する小径部が一方面と非接触の状態（一方面から浮き上がった状態）で走行する。この小径部は、カッターホイールが形成したスクライブ線に跨った状態で移動していくため、結果として、特定挟持ローラーとスクライブ線との接触を回避でき、特定挟持ローラーがスクライブ線を押圧しながら走行するような事態の発生を防止することが可能となる。このため、スクライブ線の押圧に起因してガラスリボンが損傷することを回避できる。【００３７】
上記のガラス板の製造装置において、カッターホイールの後方でガラスリボンの一方面上を走行する挟持ローラーに代えて、一方面との間に隙間を維持した状態で、ガラスリボンの幅方向に沿った湾曲に倣って移動するガイドローラーを配置してもよい。【００３８】
このようにすれば、ガイドローラーとガラスリボンとの一方面との間に隙間が形成された状態の下で、ガイドローラーが移動していく。そのため、ガイドローラーがスクライブ線を押圧することを防止でき、スクライブ線の押圧に起因したガラスリボンの損傷を回避することが可能となる。なお、ガイドローラーがガラスリボンの一方面に接触しないことで、上述のガラスリボンの変形を防ぐ効果が薄れることが危惧されるが、ガイドローラーとガラスリボンの一方面との間には隙間が形成されるのみである。そのため、挟持ローラーをガイドローラーに置き換えたことで上記の効果が薄れることも可及的に回避することができる。【００３９】
上記の構成において、ホイール支持ローラーの径がカッターホイールの径よりも大きいことが好ましい。【００４０】
このようにすれば、カッターホイールが、自身よりも径の大きいホイール支持ローラーによって支持（ガラスリボンを介して支持）されるため、スクライブ線を安定して形成することが可能である。【００４１】
上記の構成において、ガラスリボンに追従降下しつつスクライブ線が形成されたスクライブ線形成部を、ガラスリボンの長手方向に沿って一方面側が凸となるように湾曲させて曲げ応力を付与することで、ガラスリボンを折割切断してガラスリボンからスクライブ線の下方に存する切出し部を切り出す折割機構を備え、折割機構が、切出し部を、当該切出し部におけるガラスリボンの長手方向に沿った湾曲形状を維持しつつ支持した状態で、スクライブ線形成部に曲げ応力を付与する曲げ応力付与部材を有することが好ましい。【００４２】
このような構成によれば、曲げ応力付与部材がガラスリボンの切出し部を不当に変形させることなく、自然な形状（ガラスリボンの長手方向に沿った湾曲形状）を維持した状態で支持するため、切出し部には、当該切出し部の変形による不要な応力が作用しにくくなる。従って、不要な応力に起因して折割切断を実行するための曲げ応力がスクライブ線形成部に作用しにくくなるような事態の発生を回避することができる。その結果、ガラスリボンの折割切断を確実に実行することが可能となる。【００４３】
上記の構成において、曲げ応力付与部材が、切出し部を支持する複数の支持部材と、この複数の支持部材を切出し部の厚み方向に沿ってそれぞれスライド可能に保持する保持部材とを有することが好ましい。【００４４】
このようにすれば、各支持部材が保持部材によって切出し部の厚み方向に沿ってスライド可能に保持されているため、各支持部材の切出し部の厚み方向における位置を容易に調節することができる。その結果、切出し部の自然な形状（ガラスリボンの長手方向に沿った湾曲形状）をより維持しやすくなる。【００４５】
上記の構成において、複数の支持部材が、切出し部の幅方向両端に存する非有効部に沿って相互に離間して並べられ、且つ非有効部を把持する複数のチャックであることが好ましい。【００４６】
このようにすれば、複数の支持部材の各々が切出し部の幅方向両端に存する非有効部を把持するチャックであることから、切出し部の幅方向中央部に存する有効部がチャックによる把持で汚染されたり、傷付いたりすることを回避することが可能となる。【００４７】
上記の構成において、折割機構が、折割切断時に切出し部の下端部を幅方向に沿って支持する下端受け部材を有することが好ましい。【００４８】
このようにすれば、折割切断時に、切出し部が鉛直方向に対して傾斜した傾斜姿勢をとっても、その幅方向中央部（チャックによって把持されていない部位）が重力によって垂れ下がることを防止することができる。その結果、垂れに起因して発生した応力によって切出し部が破損してしまうような事態の発生を回避することが可能となる。【００４９】
上記の構成において、下端受け部材が、切出し部の下端部における一方面側を幅方向に沿って下方から支持することが好ましい。【００５０】
下端受け部材が切出し部の下端部端面を幅方向に沿って支持した場合、下端部端面と下端受け部材との当接によって切出し部が破損してしまう恐れがある。しかしながら、下端受け部材が下端部における一方面側を幅方向に沿って下方から支持すれば、このような恐れを的確に排除することができると共に、安定的に下端部を支持することが可能である。【００５１】
上記の構成において、下端受け部材が、切出し部の下端部を幅方向に沿って支持するための支持位置と、ガラスリボンの搬送経路から外れた退避位置との間を移動可能に構成されていることが好ましい。【００５２】
このようにすれば、スクライブ線形成部への曲げ応力の付与時以外には、下端受け部材を退避位置へと移動させることで、切出し部と下端受け部材との不要な接触を防止することができる。【００５３】
上記の構成において、退避位置として第一の退避位置と第二の退避位置とを有し、第一の退避位置が、支持位置から幅方向の外方に離間した位置であると共に、第二の退避位置が、支持位置から切出し部の厚み方向に沿って離間した位置であることが好ましい。【００５４】
下端受け部材を支持位置から第一の退避位置へと移動させた場合には、第二の退避位置へと移動させた場合と比較して、下方へと搬送されるガラスリボンが気流等の影響によって厚み方向に揺動していても、ガラスリボンと下端受け部材との不要な接触を回避しやすくなる。一方、下端受け部材を支持位置から第二の退避位置へと移動させる場合には、第一の退避位置へと移動させる場合と比較して、下端受け部材の動作を小さく抑制しやすくなる。【００５５】
また、上記の第二の技術的課題を解決するために創案された本発明に係るガラス板の製造装置は、ダウンドロー法によって連続成形されて下方へと搬送されるガラスリボンに対し、追従降下しつつ幅方向に沿ってスクライブ線を形成するスクライブ機構を備えた装置であって、スクライブ機構が、ガラスリボンの一方面上を幅方向に沿って移動することでスクライブ線を形成する形成部材と、ガラスリボンの他方面側からガラスリボンを介して移動中の形成部材を支持し、且つ形成部材と同期した状態で他方面上を幅方向に沿って移動する形成補助部材とを有し、形成部材及び形成補助部材が、ガラスリボンの幅方向に沿った湾曲に倣って移動するように構成されていることに特徴付けられる。【００５６】
このような構成によれば、スクライブ線の形成が開始されてから完了するまでの間、ガラスリボンにおいて、スクライブ線の形成が進行中の部位のみが、ガラスリボンの幅方向に沿った湾曲に倣って移動する形成部材と形成補助部材とによって厚み方向に挟まれた状態となる。従って、移動中の形成部材の前方に存するスクライブ線が未形成の部位（これからスクライブ線が形成される部位）では、形成補助部材自体が存在しないことから、当該部位が形成補助部材から浮き上がるということが必然的に起こり得ない。このため、形成部材の前方でガラスリボンに皺が形成されることを確実に回避することができる。その結果、皺の形成に起因して発生した応力でクラックが進展し、ガラスリボンが割れてしまうような事態の発生を防止することが可能である。【００５７】
また、上記の第三の技術的課題を解決するために創案された本発明に係るガラス板の製造装置は、ダウンドロー法によって連続成形されて下方へと搬送されると共に、幅方向に沿ってスクライブ線が形成されたガラスリボンに対し、追従降下しつつスクライブ線が形成されたスクライブ線形成部に曲げ応力を付与することにより、ガラスリボンを折割切断してガラスリボンからスクライブ線の下方に存する切出し部を切り出す折割機構を備えた装置であって、折割機構が、切出し部を、当該切出し部におけるガラスリボンの長手方向に沿った湾曲形状を維持しつつ支持した状態で、スクライブ線形成部に曲げ応力を付与する曲げ応力付与部材を有することに特徴付けられる。【００５８】
このような構成によれば、曲げ応力付与部材がガラスリボンの切出し部を不当に変形させることなく、自然な形状（ガラスリボンの長手方向に沿った湾曲形状）を維持した状態で支持するため、切出し部には、当該切出し部の変形による不要な応力が作用しにくくなる。従って、不要な応力に起因して折割切断を実行するための曲げ応力がスクライブ線形成部に作用しにくくなるような事態の発生を回避することができる。その結果、ガラスリボンの折割切断を確実に実行することが可能となる。【００５９】
また、上記の第四の技術的課題を解決するために創案された本発明に係るガラス板の製造装置は、ダウンドロー法によって連続成形されて下方へと搬送されると共に、幅方向に沿ってスクライブ線が形成されたガラスリボンに対し、追従降下しつつスクライブ線が形成されたスクライブ線形成部に曲げ応力を付与することにより、ガラスリボンを折割切断してガラスリボンからスクライブ線の下方に存する切出し部を切り出す折割機構を備え、この折割機構が、切出し部を、その幅方向両端に沿って支持する支持体を有する装置であって、折割機構が、折割切断時に切出し部の下端部を幅方向に沿って支持する下端受け部材を備えることに特徴付けられる。【００６０】
このような構成によれば、折割切断時に、切出し部が鉛直方向に対して傾斜した傾斜姿勢をとっても、その幅方向中央部（支持体によって支持されていない部位）が重力によって垂れ下がることを防止することができる。その結果、垂れに起因して発生した応力によって切出し部が破損してしまうような事態の発生を回避することが可能となる。
【発明の効果】
【００６１】
以上のように、本発明によれば、成形後に下方へと搬送されるガラスリボンについて、スクライブ線の形成に適した形状に維持した状態でスクライブ機構に搬入することが可能である。また、このガラスリボンにスクライブ線を形成する際に、当該ガラスリボンにおける割れの発生を防止することができる。さらには、このガラスリボンの折割切断を確実に実行することが可能となる。加えて、折割切断の際に、切出し部の破損を回避することができる。
【図面の簡単な説明】
【００６２】
【図１】本発明の第一実施形態に係るガラス板の製造装置の概略を示す正面図である。
【図２】本発明の第一実施形態に係るガラス板の製造装置の概略を示す側面図である。
【図３】本発明の第一実施形態に係るガラス板の製造装置を図１に示すＡ‐Ａ方向から視た平面図である。
【図４】変形付与機構が有する支持ローラーの周辺を拡大して示す拡大平面図である。
【図５】本発明の第一実施形態に係るガラス板の製造装置を図１に示すＢ‐Ｂ方向から視た平面図である。
【図６】スクライブ機構が有するカッターホイール及びホイール支持ローラーの周辺を拡大して示す拡大平面図である。
【図７】スクライブ機構が有するカッターホイール及びホイール支持ローラーの周辺を図６におけるＤ‐Ｄ方向から視た縦断側面図である。
【図８】スクライブ機構が有するカッターホイール及びホイール支持ローラーの周辺を拡大して示す拡大平面図である。
【図９】本発明の第一実施形態に係るガラス板の製造装置を図５に示すＣ‐Ｃ方向から視た正面図である。
【図１０】折割機構が有する曲げ応力付与部材の周辺を拡大して示す拡大側面図である。
【図１１】折割機構が有する揺動規制ローラーの周辺を拡大して示す拡大平面図である。
【図１２】折割機構が有するガス噴射ノズル及び吸引ノズルの周辺を拡大して示す拡大平面図である。
【図１３】折割機構が有する支点バーの周辺を拡大して示す拡大側面図である。
【図１４】折割機構が有する支点バーの周辺を拡大して示す拡大側面図である。
【図１５】折割機構が有する支点バーの周辺を拡大して示す拡大側面図である。
【図１６】本発明の第二実施形態に係るガラス板の製造装置の概略を示す正面図である。
【図１７】折割機構が有する曲げ応力付与部材の周辺を拡大して示す拡大側面図である。
【発明を実施するための形態】
【００６３】
以下、本発明の実施形態に係るガラス板の製造装置について、添付の図面を参照して説明する。なお、添付の図面には、ガラスリボンの幅方向を「Ｘ‐Ｘ方向」で表し、ガラスリボンの長手方向を「Ｙ‐Ｙ方向」で表し、ガラスリボンの厚み方向を「Ｚ‐Ｚ方向」で表している。
【００６４】
まず、本発明の第一実施形態に係るガラス板の製造装置の概要について説明する。
【００６５】
＜第一実施形態＞
図１及び図２に示すように、本発明の第一実施形態に係るガラス板の製造装置１は、ダウンドロー法によって連続成形されて下方へと搬送される可撓性を有するガラスリボンＧ（例えば、厚みが７００μｍ以下）を所定長さ毎に切断することにより、当該ガラスリボンＧから切出し部としてのガラス板Ｇｘを連続的に切り出すための装置である。ガラス板の製造装置１は、ガラスリボンＧの表面Ｇａ（ガラスリボンＧの表裏面Ｇａ，Ｇｂのうちの表面Ｇａ）に対する幅方向（Ｘ‐Ｘ方向）に沿ったスクライブ線Ｓの形成と、スクライブ線Ｓが形成されたスクライブ線形成部Ｇｓへの曲げ応力の付与によるガラスリボンＧの折割切断とを繰り返し実行するように構成されている。なお、図１及び図２においては、ガラス板の製造装置１の一部の構成要素の図示を省略しており、図１及び図２で図示を省略した構成要素は図３以降に図示している。
【００６６】
上記のガラス板の製造装置１は、図１に矢印Ｅ‐Ｅで示すように、ガラスリボンＧに追従降下しつつスクライブ線Ｓを形成する形成動作、及び、スクライブ線Ｓの形成後に上方へと帰還する帰還動作を行うスクライブ機構２を備えている。また、スクライブ機構２よりもガラスリボンＧの搬送経路の下流側において、図１に矢印Ｆ‐Ｆで示すように、ガラスリボンＧに追従降下しつつ折割切断を実行する折割動作、及び、折割切断の実行後に上方へと復帰する復帰動作を行う折割機構３を備えている。スクライブ機構２と折割機構３とは相互に独立して上下動することが可能となっており、スクライブ機構２は、図１に実線で示した位置を上端、二点鎖線で示した位置を下端として上下動する。一方、折割機構３は、図１に二点鎖線で示した位置を上端、実線で示した位置を下端として上下動する。
【００６７】
また、ガラス板の製造装置１は、スクライブ機構２よりもガラスリボンＧの搬送経路の上流側に、スクライブ機構２に搬入されるガラスリボンＧを幅方向（Ｘ‐Ｘ方向）に沿って表面Ｇａ側が凸となるように湾曲させる変形付与機構４を備えている。さらに、折割切断の実行によって切り出されたガラス板Ｇｘを、折割機構３から受け取って下流工程へと移送するための移送機構５を備えている。
【００６８】
ここで、ダウンドロー法により成形されたガラスリボンには、その幅方向両端に製品ガラス板の製造過程で除去される非有効部が含まれている。さらに、非有効部には、他の部位と比較して厚みの大きい耳部が含まれている。以下の説明においては、非有効部のうちの耳部を除外した部位を表す場合には「非有効部Ｇｕ」と表記し、耳部を表す場合には「耳部Ｇｍ」と表記する。
【００６９】
以下、変形付与機構４の詳細について説明する。
【００７０】
変形付与機構４は、ガラスリボンＧが元来有する幅方向（Ｘ‐Ｘ方向）に沿った湾曲に倣って表面Ｇａ側が凸となるように、当該ガラスリボンＧを湾曲させる。この変形付与機構４は、図２に示すように、ガラスリボンＧの搬送経路に沿って二基が配置されており、この二基は同一な構成を有している。両変形付与機構４のそれぞれは、図３に示すように、ガラスリボンＧの表面Ｇａ側において幅方向に沿って相互に離間した二箇所と、裏面Ｇｂ側において前述の二箇所の相互間に位置する二箇所との各々に、ガラスリボンＧに当接する当接部材としての支持ローラー４ａを有している。表面Ｇａ側の二つの支持ローラー４ａと裏面Ｇｂ側の二つの支持ローラー４ａとは、ガラスリボンＧの幅方向中央Ｇｃを基準として対称に配置されると共に、ガラスリボンＧの幅方向両端に存する非有効部Ｇｕに当接するように配置されている。そして、表面Ｇａ側の支持ローラー４ａと裏面Ｇｂ側の支持ローラー４ａとで、ガラスリボンＧを厚み方向（Ｚ‐Ｚ方向）に挟み込んでいる。なお、表面Ｇａ側の支持ローラー４ａ、及び、裏面Ｇｂ側の支持ローラー４ａは、いずれもフリーローラーである。
【００７１】
各支持ローラー４ａは、その各々がボールネジ（図示省略）を介してエアシリンダー４ｂと連結されており、各エアシリンダー４ｂは、それぞれガラスリボンＧの表面Ｇａ側と裏面Ｇｂ側とに配置されたフレーム６に取り付けられている。そして、各支持ローラー４ａは、各エアシリンダー４ｂの内圧の増減を調節することで、図３に矢印Ｈ‐Ｈで示すように、ガラスリボンＧの厚み方向（Ｚ‐Ｚ方向）に沿って移動させることが可能であると共に、ボールネジによって前後に移動して、厚み方向に沿った位置の微調整を行うことが可能となっている。これにより、表面Ｇａ側の支持ローラー４ａと裏面Ｇｂ側の支持ローラー４ａとを移動させ、各支持ローラー４ａのガラスリボンＧの厚み方向に沿った位置を調節することで、ガラスリボンＧの幅方向（Ｘ‐Ｘ方向）に沿った湾曲（曲率）を任意に変化させることが可能となっている。
【００７２】
ここで、ガラスリボンＧを表面Ｇａ側の支持ローラー４ａと裏面Ｇｂ側の支持ローラー４ａとで挟み込むにあたり、ガラスリボンＧを幅方向（Ｘ‐Ｘ方向）に沿って確実に湾曲させるため、図４に示すように、隣接する表面Ｇａ側の支持ローラー４ａと裏面Ｇｂ側の支持ローラー４ａとの重なり代Ｊ（両支持ローラー４ａをその回転軸に沿う方向から視た場合の重なり代）を、３ｍｍ〜１００ｍｍの範囲内とすることが好ましい。また、隣接する表面Ｇａ側の支持ローラー４ａと裏面Ｇｂ側の支持ローラー４ａとの離反距離Ｋ（両支持ローラー４ａの回転軸に沿う方向における離反距離）を、３０ｍｍ〜５００ｍｍの範囲内とすることが好ましい。さらに、幅方向に沿った湾曲を安定的に維持した状態でガラスリボンＧをスクライブ機構２へと搬入するため、図２に示すように、スクライブ機構２がスクライブ線Ｓの形成を開始する高さ位置から、スクライブ機構２に最も近接した変形付与機構４までの離間距離Ｌ（ガラスリボンＧの搬送経路に沿った離間距離）を、１００ｍｍ〜１５００ｍｍの範囲内とすることが好ましい。
【００７３】
以上に説明した構成により、スクライブ機構２に搬入されるガラスリボンＧは、幅方向（Ｘ‐Ｘ方向）に沿って表面Ｇａ側が凸となるように湾曲した状態となる。さらに、このガラスリボンＧにおいては、幅方向中央Ｇｃを境界とした一方側の部位と、他方側の部位とが対称に湾曲した状態となる。
【００７４】
以下、変形付与機構４の変形例について説明する。
【００７５】
本実施形態においては、ガラスリボンＧに当接する当接部材として支持ローラー４ａを使用しているが、この限りではない。例えば、各支持ローラー４ａに代えて、ガラスリボンＧの長手方向（Ｙ‐Ｙ方向）に長尺なベルトコンベア（送り方向は上方から下方）を配置してもよい。また、各支持ローラー４ａに代えて、ガラスリボンＧの長手方向に延びる丸棒等を配置してもよい。
【００７６】
以下、スクライブ機構２の詳細について説明する。
【００７７】
スクライブ機構２は、図５及び図６に示すように、ガラスリボンＧの表面Ｇａ上を幅方向（Ｘ‐Ｘ方向）に沿って走行することでスクライブ線Ｓを形成する形成部材としてのカッターホイール２ａと、裏面Ｇｂ側からガラスリボンＧを介して走行中のカッターホイール２ａを支持し、且つカッターホイール２ａと同期した状態で裏面Ｇｂ上を幅方向に沿って走行する形成補助部材としてのホイール支持ローラー２ｂとを有している。ホイール支持ローラー２ｂの径Ｄ２は、カッターホイール２ａの径Ｄ１よりも大きくなっている。さらに、カッターホイール２ａ及びホイール支持ローラー２ｂの進行方向Ｍの前後には、ガラスリボンＧを厚み方向（Ｚ‐Ｚ方向）に挟持しつつ、カッターホイール２ａ及びホイール支持ローラー２ｂと共に幅方向に沿って走行する一対の挟持ローラー７がそれぞれ配置されている。そして、カッターホイール２ａ、ホイール支持ローラー２ｂ、及び、各挟持ローラー７は、ガラスリボンＧの幅方向に沿った湾曲に倣って走行することが可能となっている。なお、ホイール支持ローラー２ｂ、及び、各挟持ローラー７は、いずれもフリーローラーである。
【００７８】
複数の挟持ローラー７のうち、カッターホイール２ａの後方でガラスリボンＧの表面Ｇａ上を走行する挟持ローラー７（以下、特定挟持ローラー７ａと表記）は、他の挟持ローラー７とは異なった形状を有している。図７に示すように、他の挟持ローラー７は円柱状に形成されている。これに対し、特定挟持ローラー７ａは、相対的に径の小さい小径部７ａａと、ガラスリボンＧの表面Ｇａ上を転動し且つ小径部７ａａの両側にそれぞれ連なる相対的に径の大きい大径部７ａｂとを有している。そして、特定挟持ローラー７ａは、カッターホイール２ａが形成したスクライブ線Ｓを小径部７ａａが跨いだ状態で走行するように構成されている。これにより、特定挟持ローラー７ａの走行中には、小径部７ａａと大径部７ａｂとのうち、大径部７ａｂのみがガラスリボンＧの表面Ｇａと接触した状態となる。
【００７９】
カッターホイール２ａ、及び、表面Ｇａ上を走行する二つの挟持ローラー７（以下、これらをまとめて表面走行群８と表記）は、図１に示すように、サーボモーターを動力源として駆動する駆動輪９と、従動輪１０と、これらに巻き掛けられたベルト１１とを備えたコンベア１２に連結されている。このコンベア１２は、ガラスリボンＧの幅方向（Ｘ‐Ｘ方向）が送り方向とされると共に、ベルト１１が旋回する方向を逆転させることが可能となっている。そして、駆動輪９の回転に伴ってベルト１１が旋回することにより、表面走行群８がガラスリボンＧの幅方向に沿って移動する。
【００８０】
図５に示すように、表面走行群８を構成するカッターホイール２ａ、及び、二つの挟持ローラー７は、これらの各々と連結された各ボールネジ１２ａにより、コンベア１２と連結された状態でガラスリボンＧの厚み方向（Ｚ‐Ｚ方向）に沿っても移動することが可能となっている。各ボールネジ１２ａのそれぞれの駆動はサーボ機構（図示省略）によって制御されている。そして、表面走行群８は、ガラスリボンＧの幅方向（Ｘ‐Ｘ方向）に沿った移動中に厚み方向に沿っても移動することで、ガラスリボンＧの幅方向に沿った湾曲に倣って走行する。
【００８１】
図１に示すように、コンベア１２は、これを収容したケーシング１３内に配置されている。そして、図２に示すように、ケーシング１３がサーボモーター１４と連結されたボールネジ１５によってフレーム６に設置されたガイド１６に沿って上下動するのに伴って、コンベア１２が上下動する。
【００８２】
同様に、図５に示すように、ホイール支持ローラー２ｂ、及び、裏面Ｇｂ上を走行する二つの挟持ローラー７（以下、これらをまとめて裏面走行群１７と表記）についても、各々がボールネジ１８ａ（ボールネジ１２ａと同一な構成を有するボールネジ）と連結されると共に、図９に示すように、コンベア１２と同一な構成を有し、且つ、ガラスリボンＧを挟んでコンベア１２と対向して配置されたコンベア１８に連結されている。
【００８３】
以上に説明した構成により、スクライブ機構２が形成動作を行う際には、両コンベア１２，１８が、ガラスリボンＧの搬送速度と同一な速度で、且つ、表面Ｇａ側と裏面Ｇｂ側とで相互に同期した状態でガラスリボンＧに追従降下していく。そして、両コンベア１２，１８のガラスリボンＧへの追従降下中には、表面走行群８及び裏面走行群１７がガラスリボンＧの幅方向（Ｘ‐Ｘ方向）に沿った湾曲に倣って走行する。なお、本実施形態においては、上記の変形付与機構４がガラスリボンＧに付与した湾曲に倣って、表面走行群８及び裏面走行群１７が走行するように制御している。また、ガラスリボンＧにおいて、表面走行群８と裏面走行群１７とによって挟まれた部位（図６においてクロスハッチングを施した部位）の形状が平坦となるように、カッターホイール２ａ、ホイール支持ローラー２ｂ、及び、各挟持ローラー７の間での相対的な位置関係を制御している。ガラスリボンＧへのスクライブ線Ｓの形成が完了すると、両コンベア１２，１８のガラスリボンＧへの追従降下が停止する。
【００８４】
一方、スクライブ機構２が帰還動作を行う際には、両コンベア１２，１８が表面Ｇａ側と裏面Ｇｂ側とで相互に同期した状態で上方へと移動していく。そして、両コンベア１２，１８の上方への移動中には、形成動作中とは逆向きにベルト１１が旋回して、表面走行群８及び裏面走行群１７がガラスリボンＧの幅方向（Ｘ‐Ｘ方向）に沿って形成動作中とは逆向きに移動する。このとき、サーボ機構によって制御されたボールネジ１２ａ、及びボールネジ１８ａの駆動により、表面走行群８及び裏面走行群１７がガラスリボンの厚み方向（Ｚ‐Ｚ方向）に沿って当該ガラスリボンＧから離反するように移動することで、両走行群８，１７が帰還動作中にガラスリボンＧと接触しないように制御されている。そして、両コンベア１２，１８がスクライブ線Ｓ（次回に形成されるスクライブ線Ｓ）の形成を開始する高さ位置まで帰還すると、これらの上方への移動が停止する。
【００８５】
以下、スクライブ機構２の変形例について説明する。
【００８６】
本実施形態においては、スクライブ線Ｓを形成する形成部材としてカッターホイール２ａを使用しているが、この限りではなく、ガラスリボンＧの表面Ｇａ上を移動することでスクライブ線Ｓを形成できるものであれば他の物を使用してもよい。一例を挙げると、形成部材として針状の形成刃等を使用してもよい。さらに、形成補助部材についても、ホイール支持ローラー２ｂ以外の物を使用してもよく、ガラスリボンＧを介して移動中の形成部材を支持できるものであればよい。
【００８７】
また、本実施形態においては、変形付与機構４がガラスリボンＧに付与した湾曲に倣って、表面走行群８及び裏面側走行群１７を走行させているが、この限りではない。例えば、ガラスリボンＧの幅方向（Ｘ‐Ｘ方向）に沿って並べられた複数の変位センサーでスクライブ機構２に搬入される直前のガラスリボンＧの湾曲を検出させると共に、検出結果に基づいて、表面走行群８及び裏面側走行群１７がガラスリボンＧの幅方向に沿った湾曲に倣って走行するようにしてもよい。このようにすれば、ガラスリボンＧがうねりを有しているような場合であっても、確実にスクライブ線Ｓを形成することが可能となる。
【００８８】
さらに、本実施形態においては、表面走行群８と裏面走行群１７とによって挟まれた部位の形状が平坦となるように、カッターホイール２ａ、ホイール支持ローラー２ｂ、及び、各挟持ローラー７の間での相対的な位置関係が制御されている。しかしながら、この限りではなく、両走行群８，１７によって挟まれた部位の湾曲が維持されるように、カッターホイール２ａ、ホイール支持ローラー２ｂ、及び、各挟持ローラー７の間での相対的な位置関係を制御してもよい。
【００８９】
また、本実施形態で用いた特定挟持ローラー７ａに代えて、カッターホイール２ａが形成したスクライブ線Ｓから上方、或いは、下方にずれた高さ位置において、ガラスリボンＧの幅方向（Ｘ‐Ｘ方向）に沿った湾曲に倣って表面Ｇａ上を走行する挟持ローラー７を配置してもよい。さらに、本実施形態に用いた各挟持ローラー７に代えて、ガラスリボンＧとの間に隙間を維持した状態で、ガラスリボンＧの幅方向に沿った湾曲に倣って移動するガイドローラーを配置してもよい。この場合、ガラスリボンＧの表面Ｇａ側と裏面Ｇｂ側とで対向する一対のガイドローラーについて、両者の相互間の距離がガラスリボンＧの厚み寸法に対して僅かに長くなるように、両者の相対的な位置関係が制御される。また、複数の挟持ローラー７のうち、一部の挟持ローラー７のみをガイドローラーに置き換えてもよい。このような置き換えを行う場合には、図８に示すように、カッターホイール２ａの後方でガラスリボンＧの表面Ｇａ上を走行する挟持ローラー７（特定挟持ローラー７ａ）をガイドローラー７ｘに置き換えることが好ましい。なお、このガイドローラー７ｘもフリーローラーである。ここで、ガイドローラー７ｘとガラスリボンＧの表面Ｇａとの間に形成される隙間の幅ＡＡは、０．５ｍｍ〜５ｍｍの範囲内とすることが好ましい。
【００９０】
加えて、本実施形態においては、スクライブ機構２が帰還動作を行う際には、両コンベア１２，１８が表面Ｇａ側と裏面Ｇｂ側とで相互に同期した状態で上方へと移動していくが、この限りではなく、両コンベア１２，１８を別々に上方へと移動させてもよい。
【００９１】
以下、折割機構３の詳細について説明する。
【００９２】
図１０に示すように、折割機構３は、スクライブ線形成部Ｇｓに対して裏面Ｇｂ側から当接して折割切断の支点となる支点部材としての支点バー１９と、スクライブ線Ｓの下方に存するガラス板Ｇｘを支持した状態で表面Ｇａ側から裏面Ｇｂ側に向かって回動することで、スクライブ線形成部Ｇｓを湾曲させて曲げ応力を付与する曲げ応力付与部材２０と、折割切断後（ガラス板Ｇｘの切出し後）におけるガラスリボンＧの厚み方向（Ｚ‐Ｚ方向）の揺動を規制するための揺動規制手段としての揺動規制ローラー２１と、折割切断に伴って発生したガラス粉Ｇｋを吹き飛ばすためのガス２２ａを噴射するガス噴射ノズル２２と、ガラス粉Ｇｋを吸引するための吸引ノズル２３とを備えている。なお、これら折割機構３の構成要素のうち、最上方に位置する揺動規制ローラー２１は、スクライブ機構３よりも下方に位置している。
【００９３】
支点バー１９は、図９に示すように、ガラスリボンＧの幅方向（Ｘ‐Ｘ方向）に沿って延びると共に、その全長がガラスリボンＧの幅寸法よりも長くなっている。従って、支点バー１９はスクライブ線形成部Ｇｓの全幅と当接することが可能となっている。なお、図５に示すように、支点バー１９においてスクライブ線形成部Ｇｓと当接する部位は、平面視で円弧状に湾曲している。さらに、この当接する部位は、図１０に示すように、側面視で凸湾曲面に形成されている。
【００９４】
支点バー１９は、エアシリンダー（図示省略）と連結されており、当該エアシリンダーの内圧の増減に伴って、図１０に矢印Ｎ‐Ｎで示すように、ガラスリボンＧの厚み方向（Ｚ‐Ｚ方向）に沿って移動させることが可能となっている。これにより、支点バー１９はガラスリボンＧへの接近、及びガラスリボンＧからの離反が可能となっている。上記のエアシリンダーは、図２に示すように、サーボモーター２４と連結されたボールネジ２５により、フレーム６に設置されたガイド２６に沿って上下動するプレート２７に固定されている。そして、プレート２７の上下動に伴ってエアシリンダー、及び、支点バー１９が上下動する。
【００９５】
曲げ応力付与部材２０は、図１０に示すように、ガラス板Ｇｘを支持する複数の支持部材（支持体）としての複数のチャック２０ａと、複数のチャック２０ａをガラス板Ｇｘの厚み方向（Ｚ‐Ｚ方向）に沿ってそれぞれスライド可能に保持する保持部材としての折割アーム２０ｂとを有している。
【００９６】
複数のチャック２０ａは、ガラス板Ｇｘの幅方向（Ｘ‐Ｘ方向）両端に存する耳部Ｇｍに沿って相互に離間して並べられており、これらの各々が耳部Ｇｍの把持、及び、その解除を行うことが可能となっている。各チャック２０ａは、同図に矢印Ｐ‐Ｐで示すように、エアーの圧力によって開閉する一対の爪２０ａａを有しており、この一対の爪２０ａａによって耳部Ｇｍを把持する。また、各チャック２０ａは、同図に矢印Ｑ‐Ｑで示すように、ガラスリボンＧの幅方向に沿って延びる軸線２８の周りを回転することで、その姿勢を任意に設定することが可能となっている。
【００９７】
折割アーム２０ｂは、図１に示すように、ガラス板Ｇｘを幅方向（Ｘ‐Ｘ方向）に挟んで一対が設置されている。一対の折割アーム２０ｂの各々は、図１０に示すように、真っ直ぐに延びた棒状のアーム本体２０ｂａと、アーム本体２０ｂａに相互に離間して取り付けられ、且つ各チャック２０ａを保持するための複数の保持プレート２０ｂｂと、複数の保持プレート２０ｂｂの各々をアーム本体２０ｂａに取り付けるためのボルト２０ｂｃとを有している。
【００９８】
アーム本体２０ｂａは、図１０に実線で示す初期姿勢から二点鎖線で示す折割姿勢へと姿勢を変化（同図に矢印Ｒ‐Ｒで示すように変化）させることが可能となっている。このアーム本体２０ｂａの姿勢の変化に伴って複数のチャック２０ａによって把持されたガラス板Ｇｘが、スクライブ線形成部Ｇｓを中心に回動する。これにより、スクライブ線形成部ＧｓがガラスリボンＧの長手方向（Ｙ‐Ｙ方向）に沿って表面Ｇａ側が凸となるように湾曲し、当該スクライブ線形成部Ｇｓに曲げ応力が付与される。アーム本体２０ｂａの初期姿勢から折割姿勢への姿勢の変化は、支点バー１９と当接したスクライブ線形成部Ｇｓに沿って幅方向（Ｘ‐Ｘ方向）に延びる軸線２９の周りをアーム本体２０ｂａが回動することによって行われる。このアーム本体２０ｂａの回動に伴って曲げ応力付与部材２０全体が回動する構成となっている。アーム本体２０ｂａの初期姿勢は、ガラスリボンＧの幅方向に沿う方向から視た場合に、鉛直線３０に対して角度θだけ傾斜した姿勢となっている。
【００９９】
アーム本体２０ｂａは、図１に示すように、サーボモーター３１と連結されたボールネジ３２により、フレーム３３に設置されたガイド３４に沿って上下動するプレート３５に固定されている。そして、プレート３５の上下動に伴ってアーム本体２０ｂａ（曲げ応力付与部材２０全体）が上下動する。さらに、フレーム３３は、サーボモーター３６と連結されたボールネジ３７により、ガラスリボンＧの幅方向（Ｘ‐Ｘ方向）に延びたガイド３８に沿って移動することが可能となっている。そして、ガラス板Ｇｘ（ガラスリボンＧ）の幅寸法の大小に合わせて、フレーム３３を移動させることで、アーム本体２０ｂａの幅方向に沿った位置を調節することが可能となっている。
【０１００】
複数の保持プレート２０ｂｂの各々には、図１０に示すように、ガラス板Ｇｘの厚み方向（Ｚ‐Ｚ方向）に長尺な長孔２０ｂｂａが形成されており、この長孔２０ｂｂａに挿通されたボルト２０ｂｃが上記のアーム本体２０ｂａに固定されることにより、保持プレート２０ｂｂがアーム本体２０ｂａに取り付けられる。従って、同図に矢印Ｗ‐Ｗで示すように、各保持プレート２０ｂｂは、当該保持プレート２０ｂｂに形成された長孔２０ｂｂａの長さの分だけ、アーム本体２０ｂａに対してガラス板Ｇｘの厚み方向に沿ってスライドさせることが可能である。そして、各保持プレート２０ｂｂのアーム本体２０ｂａに対する位置と、上記の各チャック２０ａの姿勢とを調節することで、各チャック２０ａが、ガラス板Ｇｘを、当該ガラス板ＧｘにおけるガラスリボンＧの長手方向（Ｙ‐Ｙ方向）に沿った湾曲形状を維持しつつ把持することが可能となっている。
【０１０１】
ここで、保持プレート２０ｂｂのアーム本体２０ｂａに対する位置を調節するべく、当該保持プレート２０ｂｂをスライドさせる際に、スライドの幅を可及的に小さく抑制するため、上記の角度θの値は、０．１°〜１０°の範囲内とすることが好ましい。
【０１０２】
上記のアーム本体２０ｂａの下端部には、図１及び図１０に示すように、折割切断時にガラス板Ｇｘの下端部Ｇｘａにおける表面Ｇａ側を幅方向（Ｘ‐Ｘ方向）に沿って支持する下端受け部材としての下端受けバー３９が取り付けられている。下端受けバー３９は、アーム本体２０ｂａと連結された状態での回転、及びガラス板Ｇｘの厚み方向（Ｚ‐Ｚ方向）に沿った移動が可能な棒体４０を介してアーム本体２０ｂａに取り付けられている。そして、下端受けバー３９は、棒体４０の回転、或いは、棒体４０のガラス板Ｇｘの厚み方向に沿った移動に伴って、ガラス板Ｇｘの下端部Ｇｘａを幅方向に沿って支持するための支持位置（図１及び図１０に実線で示す位置）と、ガラスリボンＧの搬送経路から外れた退避位置との間を移動することが可能となっている。
【０１０３】
詳細には、棒体４０の回転に伴って、図１に矢印Ｔ‐Ｔで示すように、支持位置と、当該支持位置から幅方向（Ｘ‐Ｘ方向）の外方に離間した第一の退避位置との間を移動する。さらに、棒体４０のガラス板Ｇｘの厚み方向（Ｚ‐Ｚ方向）に沿った移動に伴って、図１０に矢印Ｕ‐Ｕで示すように、支持位置と、当該支持位置からガラス板Ｇｘの厚み方向に沿って離間した第二の退避位置（図１０に二点鎖線で示す位置）との間を移動する。なお、下端受けバー３９は、ガラス板Ｇｘの幅寸法の大小に合わせるため、当該下端受けバー３９の長尺方向に伸縮することが可能となっている（伸縮のための機構は図示省略）。
【０１０４】
図１０に示すように、揺動規制ローラー２１は、ガラスリボンＧの表面Ｇａ側及び裏面Ｇｂ側のそれぞれに配置されており、表裏両側の揺動規制ローラー２１が協働することで、折割切断後のガラスリボンＧにおける厚み方向（Ｚ‐Ｚ方向）の揺動を規制する構成となっている。なお、表裏両側の揺動規制ローラー２１は、いずれもフリーローラーである。
【０１０５】
表面Ｇａ側の揺動規制ローラー２１（以下、表面側ローラー２１と表記）は、ガラスリボンＧにおいてスクライブ線Ｓよりも上方に位置した部位Ｇｄ（以下、上方部位Ｇｄと表記）の表面Ｇａと面するように配置されている。表面側ローラー２１は、エアシリンダー４１と連結されており、当該エアシリンダー４１の内圧の増減に伴って、図１０に矢印Ｏ２‐Ｏ２で示すように、ガラスリボンＧの厚み方向（Ｚ‐Ｚ方向）に沿って移動させることが可能となっている。これにより、ガラスリボンＧに接近して揺動を規制するための規制位置（図１０において実線で示す位置）と、ガラスリボンＧから離反して退避するための退避位置（図１０において二点鎖線で示す位置）との間を移動することが可能となっている。
【０１０６】
なお、表面側ローラー２１は、折割切断時には規制位置に位置する構成となっている。これにより、アーム本体２０ｂａの回動に伴ってスクライブ線形成部Ｇｓを中心に裏面Ｇｂ側から表面Ｇａ側に回動しようとする（表面Ｇａ側に膨らもうとする）上方部位Ｇｄを表面Ｇａ側から表面側ローラー２１が支持して、上方部位Ｇｄの回動を防止する。つまり、表面側ローラー２１が、ガラスリボンＧの折割切断を補助する折割補助手段（折割補助ローラー２１）として機能する。ここで、表面側ローラー２１を折割補助手段として確実に機能させるため、表面側ローラー２１と支点バー１９とのガラスリボンＧの長手方向（Ｙ‐Ｙ方向）に沿った離間距離は、１０ｍｍ〜１００ｍｍの範囲内とすることが好ましい。
【０１０７】
裏面Ｇｂ側の揺動規制ローラー２１（以下、裏面側ローラー２１と表記）は、上方部位Ｇｄの裏面Ｇｂと面すると共に、表面側ローラー２１と同一な高さ位置に配置されている。裏面側ローラー２１は、表面側ローラー２１と同様に、エアシリンダー４１と連結されている。そして、エアシリンダー４１の内圧の増減に伴って、図１０に矢印Ｏ１‐Ｏ１で示すように、ガラスリボンＧの厚み方向（Ｚ‐Ｚ方向）に沿って移動させることが可能となっている。これにより、表面側ローラー２１と同様に、規制位置（図１０において二点鎖線で示す位置）と退避位置（図１０において実線で示す位置）との間を移動することが可能となっている。ここで、後に詳述するが、表面側ローラー２１と裏面側ローラー２１との間では、規制位置と退避位置との間を移動するタイミングが異なっている。
【０１０８】
図１１に示すように、表面側ローラー２１及び裏面側ローラー２１が共に規制位置に移動した際には、ガラスリボンＧの幅方向（Ｘ‐Ｘ方向）両端に存する非有効部Ｇｕが、両ローラーによって厚み方向に挟まれた状態となる。なお、図１１においては、幅方向の一方端側に存する非有効部Ｇｕを厚み方向に挟む両ローラーを図示しているが、他方端側にも一方端側の両ローラーと同一な構成を有する両ローラーが配置されている。また、表面側ローラー２１及び裏面側ローラー２１が規制位置に移動した際には、両ローラーのそれぞれとガラスリボンＧとの間に隙間が形成されるように、両ローラーの規制位置が位置決めされている。ここで、規制位置に移動した表面側ローラー２１と表面Ｇａとの間に形成される隙間の幅ＢＢ、及び、規制位置に移動した裏面側ローラー２１と裏面Ｇｂとの間に形成される隙間の幅ＣＣは、共に０．５ｍｍ〜５ｍｍの範囲内とすることが好ましく、１ｍｍ〜３ｍｍの範囲内とすることがより好ましい。
【０１０９】
表面側ローラー２１は、サーボモーター４２と連結されたボールネジ４３により、フレーム６に設置されたガイド４４に沿って上下動する図２に示したプレート４５と連結されている（連結部は図示省略）。そして、プレート４５の上下動に伴って表面側ローラー２１が上下動する。一方、裏面側ローラー２１は、図２に示したプレート２７と連結されている（連結部は図示省略）。そして、プレート２７の上下動に伴って裏面側ローラー２１が上下動する。
【０１１０】
図１０に示すように、ガス噴射ノズル２２は、ガラスリボンＧの裏面Ｇｂ側に配置されると共に、支点バー１９よりも下方に配置されている。また、図１２に示すように、ガス噴射ノズル２２は、ガラスリボンＧの搬送中に耳部Ｇｍが通過するパスラインを指向してガス２２ａを噴射するように姿勢が調節されている。詳述すると、ガス噴射ノズル２２は、平面視した場合に、ガラスリボンＧの厚み方向（Ｚ‐Ｚ方向）に対して傾斜した姿勢をとっており、ノズルの先端部が幅方向（Ｘ‐Ｘ方向）外側に向かって傾いている。このガス噴射ノズル２２は、上記の裏面側ローラー２１と同様に、図２に示したプレート２７と連結されている（連結部は図示省略）。そして、プレート２７の上下動に伴ってガス噴射ノズル２２が上下動する。
【０１１１】
図１０に示すように、吸引ノズル２３は、ガラスリボンＧを厚み方向（Ｚ‐Ｚ方向）に挟んで上記の支点バー１９及びガス噴射ノズル２２とは反対側となる表面Ｇａ側に配置されている。この吸引ノズル２３は、ガラスリボンＧの幅方向（Ｘ‐Ｘ方向）に沿って長尺に形成されており、その全長がスクライブ線Ｓよりも長くなっている。また、吸引ノズル２３は、集塵機（図示省略）と接続されており、当該集塵機の稼働に伴って負圧を発生させることにより、折割切断で発生したガラス粉Ｇｋを吸引する（詳細は後述）。さらに、吸引ノズル２３は、エアシリンダー（図示省略）と連結されており、当該エアシリンダーの内圧の増減に伴って、図１０に矢印Ｖ‐Ｖで示すように、ガラスリボンＧの厚み方向に沿って移動させることが可能となっている。これにより、吸引ノズル２３はガラスリボンＧへの接近、及び、ガラスリボンＧからの離反が可能となっている。上記のエアシリンダーは、図２に示すプレート４５に固定されている。そして、プレート４５の上下動に伴ってエアシリンダー、及び、吸引ノズル２３が上下動する。
【０１１２】
図１２に示すように、ガラスリボンＧの搬送中に耳部Ｇｍが通過するパスラインの幅方向（Ｘ‐Ｘ方向）外側には、ガラス粉Ｇｋを吸引するための補助吸引ノズル４６が配置されている。なお、補助吸引ノズル４６は、吸引ノズル２３と同一な高さ位置に配置されている。この補助吸引ノズル４６についても、吸引ノズル２３と同様に集塵機と接続されている。また、補助吸引ノズル４６は、裏面側ローラー２１及びガス噴射ノズル２２と同様に、図２に示したプレート２７と連結されている（連結部は図示省略）。そして、プレート２７の上下動に伴って補助吸引ノズル４６が上下動する。
【０１１３】
以上に説明した構成により、折割機構３が折割動作を行う際には、支点バー１９、曲げ応力付与部材２０、揺動規制ローラー２１、ガス噴射ノズル２２、吸引ノズル２３、及び補助吸引ノズル４６が、ガラスリボンＧの搬送速度と同一な速度で、且つ、相互に同期した状態でガラスリボンＧに追従降下していく。そして、これらのガラスリボンＧへの追従降下中には、以下のようにしてガラスリボンＧからガラス板Ｇｘが切り出される。
【０１１４】
はじめに、図１３に示すように、既に表面側ローラー２１が退避位置から規制位置に移動した状態の下で、支点バー１９及び吸引ノズル２３が、それぞれガラスリボンＧに接近し、支点バー１９についてはスクライブ線形成部Ｇｓに当接する。また、図外の複数のチャック２０ａが耳部Ｇｍを把持すると共に、図外の下端受けバー３９が第一の退避位置、或いは、第二の退避位置から支持位置へと移動する。
【０１１５】
次に、図外のアーム本体２０ｂａが回動して初期姿勢から折割姿勢への姿勢の変化を開始する。このとき、図１４に示すように、上方部位Ｇｄの回動を防止するべく表面側ローラー２１が表面Ｇａ側から上方部位Ｇｄを支持する。また、ガス噴射ノズル２２がガス２２ａの噴射を開始し、吸引ノズル２３及び補助吸引ノズル４６が吸引を開始する。すなわち、ガス噴射ノズル２２と、吸引ノズル２３及び補助吸引ノズル４６とは、それぞれガラス板Ｇｘの切出し前からガス２２ａの噴射、及び吸引を開始するように構成されている。
【０１１６】
次に、ガラスリボンＧの折割切断が完了し、ガラスリボンＧからガラス板Ｇｘが切り出されると、図１５に示すように、支点バー１９がガラスリボンＧから離反すると共に、支点バー１９と入れ替わりで裏面側ローラー２１がガラスリボンＧに接近し、退避位置から規制位置に移動する。これにより、表裏両側の揺動規制ローラー２１が、ガラス板Ｇｘの切出し後におけるガラスリボンＧの下端部Ｇｅを挟んだ配置となる。また、ガラス板Ｇｘが切り出されると、ガス噴射ノズル２２が噴射したガス２２ａが、ガラスリボンＧの下端部Ｇｅとガラス板Ｇｘの上端部Ｇｘｂとの間に形成された隙間を裏面Ｇｂ側から表面Ｇａ側に向かって通過するようになる。そして、折割切断時に発生したガラス粉Ｇｋの一部は、ガス２２ａの圧力によって吹き飛ばされて吸引ノズル２３に誘導される。さらに、ガラス粉Ｇｋの別の一部は、ガス２２ａの圧力によって補助吸引ノズル４６に誘導される。
【０１１７】
最後に、ガラス粉Ｇｋの吸引が完了すると、ガス噴射ノズル２２によるガス２２ａの噴射が停止すると共に、吸引ノズル２３による吸引が停止する。また、表面側ローラー２１及び裏面側ローラー２１がそれぞれ規制位置から退避位置に移動し、吸引ノズル２３はガラスリボンＧから離反する。さらに、支点バー１９、曲げ応力付与部材２０、揺動規制ローラー２１、ガス噴射ノズル２２、吸引ノズル２３、及び補助吸引ノズル４６のガラスリボンＧへの追従降下も停止する。なお、切り出されたガラス板Ｇｘは、折割機構３から移送機構５へと受け渡される。
【０１１８】
一方、折割機構３が復帰動作を行う際には、支点バー１９、曲げ応力付与部材２０、揺動規制ローラー２１、ガス噴射ノズル２２、吸引ノズル２３、及び補助吸引ノズル４６が相互に同期した状態で上方へと移動していく。なお、これら折割機構３の構成要素のうち、ガラスリボンＧに対する接近及び離反が可能な構成要素については、離反した状態で上方へと移動する。また、これら折割機構３の構成要素の移動中には、下端受けバー３９が支持位置から第一の退避位置、或いは、第二の退避位置へと移動する。支点バー１９、曲げ応力付与部材２０、揺動規制ローラー２１、ガス噴射ノズル２２、吸引ノズル２３、及び補助吸引ノズル４６が折割切断（次回に実行される折割切断）を開始する高さ位置まで復帰すると、これらの上方への移動が停止される。
【０１１９】
ここで、下端受けバー３９を第一の退避位置と、第二の退避位置とのいずれに移動させるかの選択は、以下のように行うことが好ましい。すなわち、ダウンドロー法によって連続成形されたガラスリボンＧがガラス板の製造装置１に搬入される前の初期状態においては、下端受けバー３９を第一の退避位置に移動させておくことが好ましい。そして、折割機構３が一回目（初回）の折割動作を開始する際には、第一の退避位置から支持位置へと下端受けバー３９を移動させる。また、折割機構３が一回目の折割動作を完了した後、二回目の折割動作を開始するまでの間は、下端受けバー３９を第二の退避位置に移動させておくことが好ましい。さらに、折割機構３が二回目以降の折割動作を完了した後、次回の折割動作を開始するまでの間は、下端受けバー３９を第二の退避位置に移動させておくことが好ましい。
【０１２０】
以下、折割機構３の変形例について説明する。
【０１２１】
本実施形態においては、ガラス板Ｇｘを支持する複数の支持部材（支持体）として、複数のチャック２０ａを使用しているが、この限りではない。ガラス板Ｇｘに負圧を発生させることにより、当該ガラス板Ｇｘを吸着することが可能な吸着パッド等を支持部材（支持体）として使用してもよい。また、本実施形態においては、下端受け部材としての下端受けバー３９がガラス板Ｇｘの下端部Ｇｘａにおける表面Ｇａ側を幅方向（Ｘ‐Ｘ方向）に沿って支持するようになっているが、この限りではない。下端受け部材として、下端受けバー３９に代えて吸着パッドを使用してもよい。この場合、必ずしも表面Ｇａ側を幅方向に沿って支持させる必要はなく、裏面Ｇｂ側を幅方向に沿って支持させてもよい。
【０１２２】
また、本実施形態においては、折割機構３が復帰動作を行う際には、支点バー１９、曲げ応力付与部材２０、揺動規制ローラー２１、ガス噴射ノズル２２、吸引ノズル２３、及び補助吸引ノズル４６が、相互に同期した状態で上方へと移動していくようになっているが、この限りではない。これらが上下動するための機構を個別に設け、これらが別々に上方に移動して復帰するようにしてもよい。
【０１２３】
さらに、本実施形態においては、表面側ローラー２１及び裏面側ローラー２１が規制位置に移動した際に、両ローラーのそれぞれとガラスリボンとの間に隙間が形成されるように規制位置が位置決めされているが、この限りではない。両ローラーが規制位置に移動した際に、両ローラーのそれぞれとガラスリボンＧとが接触するように規制位置を位置決めしてもよいし、両ローラーのうちの一方のみがガラスリボンＧと接触するように規制位置を位置決めしてもよい。
【０１２４】
加えて、本実施形態においては、ガス噴射ノズル２２によるガス２２ａの噴射、及び吸引ノズル２３による吸引が停止した際に、表面側ローラー２１及び裏面側ローラー２１が規制位置から退避位置に移動しているが、これに限定されるものではない。ガラスリボンＧの揺動の継続時間や、揺動の振幅の大きさに合わせて、ガス噴射ノズル２２及び吸引ノズル２３の停止前に両ローラーが退避位置に移動するようにしてもよいし、停止後に両ローラーが退避位置に移動するようにしてもよい。
【０１２５】
また、本実施形態においては、表面側ローラー２１及び裏面側ローラー２１がいずれも退避位置に移動した状態で、折割機構３の復帰動作に伴って両ローラーが上方に移動しているが、この限りではない。規制位置に移動した両ローラーのそれぞれとガラスリボンとの間に隙間が形成されるように規制位置を位置決めすると共に、両ローラーが規制位置にある状態で上方に移動させてもよい。また、ガラス板Ｇｘ一枚あたりの切出しに要する時間を短縮するため、規制位置に移動した表面側ローラー２１とガラスリボンＧとが接触するように規制位置を位置決めすると共に、規制位置にある表面側ローラー２１が上方に移動するようにしてもよい。つまり、表面側ローラー２１とガラスリボンＧとが、折割機構３の折割動作中、復帰動作中を問わず、常に接触した状態となるようにしてもよい。
【０１２６】
さらに、本実施形態においては、揺動規制手段（折割補助手段）として、ローラー（表面側ローラー２１及び裏面側ローラー２１）を用いているが、これに限定されるものではない。例えば、ガラスリボンＧの幅方向に長尺な棒状部材を揺動規制手段（折割補助手段）として採用してもよい。この場合、棒状部材が規制位置に移動した際に、ガラスリボンＧとの間に隙間が形成されるように、規制位置を位置決めすることが好ましい。また、棒状部材においてガラスリボンＧに面する部位は、平面に形成されていてもよいし、当該ガラスリボンＧとの接触に起因して損傷等が生じることを防止するため、凸湾曲面に形成されていてもよい。
【０１２７】
加えて、本実施形態においては、ガス噴射ノズル２２が、ガラスリボンＧの搬送中に耳部Ｇｍが通過するパスラインを指向してガス２２ａを噴射するように構成されているが、これに限定されるものではない。例えば、ガラスリボンＧの幅方向（Ｘ‐Ｘ方向）に長尺な噴射口を備えたガス噴射ノズル２２を用いて、ガラスリボンＧ全幅のパスラインに向けてガス２２ａを噴射する構成としてもよい。
【０１２８】
以下、スクライブ機構２と折割機構３との連動した動作について説明する。
【０１２９】
ダウンドロー法によって連続成形されたガラスリボンＧがガラス板の製造装置１に搬入される前の初期状態において、スクライブ機構２は、スクライブ線Ｓの形成を開始する高さ位置に待機しており、折割機構３は、折割切断を開始する高さ位置に待機している。ガラスリボンＧがガラス板の製造装置１に搬入されると、スクライブ機構２が形成動作（一回目）を開始し、ガラスリボンＧにスクライブ線Ｓが形成される。スクライブ機構２は形成動作（一回目）の完了後、連続して帰還動作（一回目）を開始する。つまり、折割機構３が折割動作（一回目）を完了する前に、スクライブ機構２が帰還動作（一回目）を開始する。そして、折割機構３が待機した高さ位置（折割切断を開始する高さ位置）までスクライブ線形成部Ｇｓが到達すると、折割機構３が折割動作（一回目）を開始する。折割機構３は折割動作（一回目）の完了後、連続して復帰動作（一回目）を開始する。なお、スクライブ機構２は、スクライブ線Ｓの形成を開始する高さ位置まで帰還した後、折割機構３が折割動作（一回目）、或いは、復帰動作（一回目）を行っている間に、再び形成動作（二回目）を開始する。そして、スクライブ機構２が形成動作（二回目）を完了する前に、折割機構３が復帰動作（一回目）を完了し、折割切断を開始する高さ位置に復帰する。そして、折割機構３が待機した高さ位置までスクライブ線形成部Ｇｓが到達すると、折割機構３が折割動作（二回目）を開始する。このようにして、スクライブ機構２によるスクライブ線Ｓの形成と、折割機構３によるガラスリボンＧの折割切断とが繰り返し実行される。
【０１３０】
以下、移送機構５の詳細について説明する。
【０１３１】
移送機構５は、切り出されたガラス板Ｇｘを折割機構３から受け取って移送するための受取アーム５ａを有している。この受取アーム５ａの先端には、ガラス板Ｇｘの上端部Ｇｘｂの把持、及び、その解除を行うためのチャック５ａａが設けられている。そして、チャック５ａａがガラス板Ｇｘを把持した状態の下で、受取アーム５ａが図２に実線で示す位置から二点鎖線で示す位置まで移動することにより、ガラス板Ｇｘを移送することが可能となっている。
【０１３２】
以下、本発明の第二実施形態に係るガラス板の製造装置について説明する。なお、この第二実施形態の説明において、上記の第一実施形態で既に説明済みの要素については、第二実施形態についての説明文、又は、第二実施形態の説明で参照する図面に同一の符号を付すことで重複する説明を省略する。
【０１３３】
＜第二実施形態＞
本発明の第二実施形態に係るガラス板の製造装置１が、上記の第一実施形態に係るガラス板の製造装置１と相違している主たる点は、アーム本体２０ｂａの回動中に、その回動の中心となる軸線２９の位置を変更することが可能となっている点と、回動中のアーム本体２０ｂａが更に自転することが可能となっている点である。なお、この第二実施形態においても、第一実施形態と同様に棒体４０及び下端受けバー３９を配置するようにしてもよい。
【０１３４】
図１６に示すように、ガラス板の製造装置１は、アーム本体２０ｂａをガラスリボンＧの幅方向（Ｘ‐Ｘ方向）に延びる中心軸線４７を中心に自転させるための回転機構４８と、回転機構４８を支持した状態で移動させることにより、回転機構４８と連結されたアーム本体２０ｂａを移動させるための移動機構４９とを備えている。さらに、移動機構４９は、アーム本体２０ｂａをガラスリボンＧの厚み方向（Ｚ‐Ｚ方向）に移動させるための第一移動機構４９ａと、アーム本体２０ｂａを上下方向に移動させるための第二移動機構４９ｂとを備えている。なお、移動機構４９は、静止系としての床壁５０に設置されている。
【０１３５】
回転機構４８は、アーム本体２０ｂａと連結された状態で中心軸線４７を軸心として回転する軸部４８ａと、軸部４８ａと連結された第一サーボモーター（図示省略）を収容した筐体４８ｂと、筐体４８ｂを移動させるためのガイド５１が設置され、且つガイド５１を介して筐体４８ｂを下方から支持する支持台４８ｃとを有している。
【０１３６】
軸部４８ａは、第一サーボモーターによって正逆の回転方向、及び回転速度を制御することが可能となっている。また、軸部４８ａは、アーム本体２０ｂａの長尺方向における中央部と連結されており、軸部４８ａの回転と同期してアーム本体２０ｂａが自転することが可能となっている。そして、アーム本体２０ｂａの自転に伴って、曲げ応力付与部材２０全体が中心軸線４７を中心に自転する構成となっている。筐体４８ｂは、ガイド５１に沿ってガラスリボンＧの幅方向（Ｘ‐Ｘ方向）に移動させることが可能となっている。これにより、ガラス板Ｇｘ（ガラスリボンＧ）の幅寸法の大小に合わせて筐体４８ｂを移動させることで、軸部４８ａを介して筐体４８ｂと連結されたアーム本体２０ｂａの幅方向に沿った位置を調節することが可能となっている。
【０１３７】
以上に説明した構成により、折割機構３が折割動作を行う際には、第一サーボモーターによって回転方向、及び回転速度が制御された軸部４８ａが回転し、これに同期してアーム本体２０ｂａが中心軸線４７を中心に自転する。これにより、折割動作中におけるアーム本体２０ｂａの姿勢が制御され、曲げ応力付与部材２０全体の姿勢が制御される。また、アーム本体２０ｂａが自転することで、その回動の中心となる軸線２９の位置を変更することが可能となっている。
【０１３８】
第二移動機構４９ｂは、第二サーボモーター（図示省略）と連結されたボールネジ５２により、フレーム５３に設置されたガイド５４に沿って上下動する可動体４９ｂａと、フレーム５３を支持する支持テーブル４９ｂｂとを有している。
【０１３９】
可動体４９ｂａは、回転機構４８が備えた支持台４８ｃと連結されており、第二移動機構４９ｂが可動体４９ｂａを介して回転機構４８を支持することが可能となっている。また、可動体４９ｂａの上下動に伴って当該可動体４９ｂａと連結された支持台４８ｃが上下動することで、回転機構４８、及び回転機構４８と連結されたアーム本体２０ｂａが上下動する。これにより、可動体４９ｂａの上下動と同期して曲げ応力付与部材２０全体が上下方向に移動する構成となっている。
【０１４０】
この可動体４９ｂａは、折割切断時に曲げ応力付与部材２０をガラスリボンＧに追従降下させるため、ガラスリボンＧに追従して下方に移動することが可能となっている。可動体４９ｂａの下方への移動速度は、第二サーボモーターによって制御されている。これにより、可動体４９ｂａは、ガラスリボンＧの搬送速度と同一な速度（以下、基本速度と表記）で移動することが可能である。さらに、基本速度に対して加速した速度（以下、加速速度と表記）、或いは、基本速度に対して減速した速度（以下、減速速度と表記）で下方に移動することも可能となっている。
【０１４１】
以上に説明した構成により、折割機構３が折割動作を行う際には、第二サーボモーターによって移動速度が制御された可動体４９ｂａが下方に移動し、これに同期してアーム本体２０ｂａが下方に移動する。このとき、可動体４９ｂａの移動速度が基本速度から加速速度、或いは、減速速度に切り換わることで、アーム本体２０ｂａの下方への移動速度が変化し、上下方向において支点バー１９とアーム本体２０ｂａとの相対的な位置関係が変化する。この位置関係の変化に伴って曲げ応力付与部材２０全体を支点バー１９に対して相対的に上下方向に移動させることが可能となる。また、アーム本体２０ｂａの移動速度が変化することで、軸線２９の位置を支点バー１９に対して相対的に上下方向に変更することが可能となっている。
【０１４２】
第一移動機構４９ａは、第三サーボモーター（図示省略）と連結されたボールネジ５５により、フレーム５６に設置されたガイド５７に沿ってガラスリボンＧの厚み方向（Ｚ‐Ｚ方向）に移動する可動体４９ａａを有している。
【０１４３】
可動体４９ａａは、第二移動機構４９ｂが備えた支持テーブル４９ｂｂと連結されており、第一移動機構４９ａが可動体４９ａａを介して第二移動機構４９ｂを支持することが可能となっている。また、可動体４９ａａの厚み方向（Ｚ‐Ｚ方向）への移動に伴って当該可動体４９ａａと連結された支持テーブル４９ｂｂが厚み方向に移動することで、第二移動機構４９ｂ、第二移動機構４９ｂに支持された回転機構４８、及び回転機構４８と連結されたアーム本体２０ｂａが厚み方向に移動する。これにより、可動体４９ａａの厚み方向への移動と同期して曲げ応力付与部材２０全体が厚み方向に移動する構成となっている。可動体４９ａａの厚み方向に沿った移動方向、及び移動速度は、第三サーボモーターによって制御されている。
【０１４４】
以上に説明した構成により、折割機構３が折割動作を行う際には、第三サーボモーターによって移動方向、及び移動速度が制御された可動体４９ａａが移動し、これに同期してアーム本体２０ｂａが厚み方向（Ｚ‐Ｚ方向）に移動する。このようにして折割動作中におけるアーム本体２０ｂａの厚み方向における位置が制御され、曲げ応力付与部材２０全体の厚み方向における位置が制御される。また、アーム本体２０ｂａが厚み方向に移動することで、軸線２９の位置を厚み方向に変更することが可能となっている。
【０１４５】
上記の回転機構４８、第一移動機構４９ａ、及び第二移動機構４９ｂは、これら三者を同時に動作させることが可能であると共に、三者のうちの一つの機構のみ、或いは、二つの機構のみを選択的に動作させることも可能である。
【０１４６】
本実施形態においては、回転機構４８、第一移動機構４９ａ、及び第二移動機構４９ｂの三者を同時に動作させている。これにより、図１７に示すように、アーム本体２０ｂａが実線で示す初期姿勢から二点鎖線で示す折割姿勢へと姿勢変化する際に、ガラスリボンＧに追従降下中の支点バー１９と同一な高さ位置において、軸線２９の位置を厚み方向（Ｚ‐Ｚ方向）に沿って表面Ｇａ側から裏面Ｇｂ側に移動させている。このアーム本体２０ｂａの姿勢変化の際には、回転機構４８、第一移動機構４９ａ、及び第二移動機構４９ｂの各機構は以下のような動作を行う。
【０１４７】
回転機構４８は、中心軸線４７を中心として時計回りにアーム本体２０ｂａを自転させることにより、アーム本体２０ｂａの鉛直線３０に対する傾斜角度を角度θから漸次に大きくさせている（θ＜θ１＜θ２）。
【０１４８】
ここで、仮にアーム本体２０ｂａが自転のみを行った場合には、（１）自転に伴って軸線２９の位置が厚み方向（Ｚ‐Ｚ方向）において裏面Ｇｂ側から表面Ｇａ側に移動してしまう。さらに、（２）自転に伴って軸線２９の位置が支点バー１９に対して相対的に下方に移動してしまう。そのため、これら（１）、（２）の移動を打ち消して、軸線２９の位置を支点バー１９と同一な高さ位置で表面Ｇａ側から裏面Ｇｂ側に移動させるための動作を第一移動機構４９ａ、及び第二移動機構４９ｂが行っている。
【０１４９】
第一移動機構４９ａは、アーム本体２０ｂａをガラスリボンＧの厚み方向（Ｚ‐Ｚ方向）に沿って表面Ｇａ側から裏面Ｇｂ側に移動させている。そして、この際のアーム本体２０ｂａの移動速度を、上記の（１）において、軸線２９が裏面Ｇｂ側から表面Ｇａ側に移動する速度よりも速くしている。これにより、上記の（１）の移動が打ち消され、軸線２９の位置が厚み方向において表面Ｇａ側から裏面Ｇｂ側に移動する。
【０１５０】
第二移動機構４９ｂは、可動体４９ｂａを減速速度で移動させることで、アーム本体２０ｂａを減速速度と等しい速度で下方に移動させている。つまり、第二移動機構４９ｂについては、軸線２９の位置を支点バー１９に対して相対的に上方に移動させるための動作を行っている。この動作により、上記の（２）の移動が打ち消され、軸線２９の位置が上下方向において支点バー１９と同一な高さ位置に維持される。
【０１５１】
回転機構４８、第一移動機構４９ａ、及び第二移動機構４９ｂが上記の動作を行うことで、図１７に実線で示すように、折割切断の開始時に、ガラスリボンＧの長手方向（Ｙ‐Ｙ方向）に沿った反りに起因して、スクライブ線形成部Ｇｓが支点バー１９から浮き上がっていたとしても、折割切断中に、同図に二点鎖線で示すように、スクライブ線形成部Ｇｓの浮き上がった状態が是正される。
【０１５２】
折割切断が完了してガラスリボンＧからガラス板Ｇｘが切出されると、アーム本体２０ｂａが中心軸線４７を中心として反時計回りに自転する。これにより、曲げ応力付与部材２０に支持されたガラス板Ｇｘが中心軸線４７を中心として反時計回りに回転し、縦置き姿勢とされる。そして、縦置き姿勢とされた状態のガラス板Ｇｘが折割機構３から移送機構５に受け渡される。なお、アーム本体２０ｂａの反時計回りの自転は、裏面側ローラー２１が退避位置から規制位置に移動した後で実行される。
【０１５３】
以下、本実施形態の変形例について説明する。
【０１５４】
本実施形態においては、回転機構４８が備えた軸部４８ａが、アーム本体２０ｂａの長尺方向における中央部と連結されているが、この限りではない。軸部４８ａをアーム本体２０ｂａの長尺方向における中央部からずれた位置に連結し、アーム本体２０ｂａの自転の中心となる中心軸線４７の位置を本実施形態とは異なった位置に変更してもよい。
【０１５５】
ここで、本発明に係るガラス板の製造装置は、上記の実施形態で説明した構成に限定されるものではない。上記の実施形態に係るガラス板の製造装置においては、スクライブ機構と折割機構とが相互に独立して上下動するようになっているが、この限りではなく、両者が一体となって上下動するようにしてもよい。すなわち、スクライブ機構と折割機構との両者が、一体となってスクライブ線の形成を開始する高さ位置から折割切断が完了する高さ位置まで、ガラスリボンに追従降下して折割切断を実行すると共に、折割切断の完了後、両者が一体となってスクライブ線の形成を開始する高さ位置まで上方へと移動するようにしてもよい。
【０１５６】
また、上記の実施形態に係るガラス板の製造装置においては、ガラス粉を吹き飛ばすためのガスを噴射するガス噴射ノズルや、ガラス粉を吸引するための吸引ノズルが配置されているが、これらは配置しなくてもよい。このようにした場合には、ガス噴射ノズルが噴射したガスの圧力や、吸引ノズルが発生させる負圧によってガラスリボンが厚み方向に揺動することが防止されるため、揺動を抑制する上で有利となる場合がある。さらに、表裏両側の揺動規制ローラーのうち、裏面側の揺動規制ローラーは、必ずしも配置しなくともよく、表面側の揺動規制ローラーのみを配置し、当該ローラーを折割補助ローラーとしてのみ機能させてもよい。
【符号の説明】
【０１５７】
１          ガラス板の製造装置
２          スクライブ機構
２ａ        カッターホイール
２ｂ        ホイール支持ローラー
３          折割機構
４          変形付与機構
４ａ        支持ローラー
７          挟持ローラー
７ａ        挟持ローラー
７ａａ      小径部
７ａｂ      大径部
７ｘ        ガイドローラー
８          表面走行群
１７        裏面走行群
２０        曲げ応力付与部材
２０ａ      チャック
２０ｂ      折割アーム
３９        下端受けバー
Ｇ          ガラスリボン
Ｇａ        表面
Ｇｂ        裏面
Ｇｃ        幅方向中央
Ｇｕ        非有効部
Ｇｘ        ガラス板
Ｇｘａ      下端部
Ｇｓ        スクライブ線形成部
Ｓ          スクライブ線
Ｍ          進行方向
Ｄ１        ホイール支持ローラーの径
Ｄ２        カッターホイールの径
【図１】
2016104400.tif 000003
【図２】
2016104400.tif 000004
【図３】
2016104400.tif 000005
【図４】
2016104400.tif 000006
【図５】
2016104400.tif 000007
【図６】
2016104400.tif 000008
【図７】
2016104400.tif 000009
【図８】
2016104400.tif 000010
【図９】
2016104400.tif 000011
【図１０】
2016104400.tif 000012
【図１１】
2016104400.tif 000013
【図１２】
2016104400.tif 000014
【図１３】
2016104400.tif 000015
【図１４】
2016104400.tif 000016
【図１５】
2016104400.tif 000017
【図１６】
2016104400.tif 000018
【図１７】
2016104400.tif 000019
【国際調査報告】
2016104400.tif 000020
2016104400.tif 000021
2016104400.tif 000022
2016104400.tif 000023
2016104400.tif 000024
2016104400.tif 000025
2016104400.tif 000026
2016104400.tif 000027
2016104400.tif 000028